(57)【要約】【課題】手袋の甲側部分から生じさせる外観美に優れ、且つ、裁断に際し歩留りが良く、しかも縫製の簡単な、手袋を提供することを目的とする。【解決手段】甲側部分の外観美に優れ且つ歩留りと生産性の高い手袋Ａであって、手袋Ａの甲側部分Ａ１において、少なくとも１つのクロス状を形成するように縫合ラインＬ１と縫合ラインＬ２とが交わり、当該クロス状の縫合ラインＬ１，Ｌ２で区画される各領域の、縦方向及び横方向に隣接する部分１０と部分１１とが、色や素材が互いに異なる部材で構成されている。【選択図】図１
2014234580.tif 000002
【特許請求の範囲】
【請求項１】
甲側部分の外観美に優れ且つ歩留りと生産性の高い手袋であって、
前記手袋の甲側部分の甲部分において、少なくとも１つのクロス状を形成するように縫合ラインが交わり、当該クロス状の縫合ラインで区画される各領域の、縦方向及び横方向に隣接する部分が、素材と色の両方又はいずれか一つが異なるパーツで構成されていることを特徴とする手袋。
【請求項２】
前記クロス状の縫合ラインが手袋の甲側部分の略中央から指先部分側にやや偏位した部位に形成されていることを特徴とする請求項１記載の手袋。
【請求項３】
前記クロス状の縫合ラインに加えて、当該縫合ラインのいずれかに平行又は略平行に別の縫合ラインがさらに形成され、各縫合ラインで形成される各領域の色や素材がそれぞれ異なるものであることを特徴とする請求項１または請求２記載の手袋。
【請求項４】
前記手袋の各領域が、布、革、合成皮革、人工皮革、樹脂シートのうちから選択された少なくとも２つ以上の素材で構成されている請求項１〜３のいずれか１の項に記載の手袋。
【発明の詳細な説明】
【技術分野】
【０００１】
この発明は、手袋の甲側部分から見た外観美に優れ、且つ、熟練者でなくとも簡単に製造でき、加えて、裁断に際し歩留りが良く、しかも、生産効率に優れた、手袋に関する。
【背景技術】
【０００２】
本出願人は、人件費においてハンディキャップのある我が国においても、人件費の安価な諸外国からの輸入手袋にも対抗できる手袋を提供した（特開２０１１−１６２９０３公報参照）。
かかる手袋は、単に、２枚の手形の形態をなすシート状のパーツの、それぞれの外縁を縫合することによって、手に可及的にフィットした手袋を実現させている。
【先行技術文献】
【特許文献】
【０００３】
【特許文献１】特開２０１１−１６２９０３公報
【発明の概要】
【発明が解決しようとする課題】
【０００４】
しかしながら、前述の手袋の場合、生産性において優れているものの、手袋の外観美を主として生じさせる当該手袋の甲側部分が、極めて単調で、外観にこだわる者にとって、不満の残る手袋となっていた。
一方、従来の手袋のように、多数のパーツ同士を縫合して手袋の形態にしようとすると、外観美を生じさせることができるものの、多くの加工工数（裁断と縫合等の加工工数）を必要とし、しかも素材からの裁断においても無駄（歩留りの低さ）が生じる。
本発明は、このような状況に鑑みておこなわれたもので、手袋の甲側部分から生じさせる外観美に優れ、且つ、裁断に際し歩留りが良く、しかも縫製の簡単な、手袋を提供することを目的とする。
【課題を解決するための手段】
【０００５】
本発明にかかる手袋は、甲側部分の外観美に優れ且つ歩留りと生産性の高い手袋であって、
手袋の甲側部分において、少なくとも１つのクロス状を形成するように縫合ラインが交わり、当該クロス状の縫合ラインで区画される各領域の、縦方向及び横方向に隣接する部分が、素材と色の両方又はいずれか一つが異なる部材で構成されていることを特徴とする。
【０００６】
前述のように構成された本発明にかかる手袋によれば、手袋の甲側部分に、少なくとも縦方向及び横方向に隣接する部分の色や素材が異なる領域が形成され、且つ、前記クロス状の縫合ラインが形成されることから、大胆な柄の外観美を生成することが可能となる。
しかも、本発明にかかる手袋によれば、対角状に位置する各領域を接続部分を介してつながった一枚のシートで構成するようにしておけば、効率的に裁断することができ、且つ、前記対角状に位置する各領域が相互につながった一枚のシートで構成されていることから縫製の際の位置合わせが容易であり、位置的に誤ることなく簡単に縫合することができる。そして、前記対角状に位置する各領域を有する如き形態に起因して、歩留りも良く、このため、生産性においても優れた手袋となる。したがって、熟練者以外のもので容易に縫製することが可能となる。
もちろん、多少の手間が必要となるが、前記各対角状に位置する各領域のそれぞれを別々の素材や別々の色からなる部材で構成するようにすると、さらに多様な外観美を具備した手袋を実現することができる。
【０００７】
前記手袋において、前記クロス状の縫合ラインが手袋の甲側部分の略中央から指先部分側にやや偏位した部位に形成されていると、高い外観美を形成する上で好ましい構成となる。
【０００８】
前記手袋において、前記クロス状の縫合ラインに加えて、当該縫合ラインのいずれかに平行又は略平行に別の縫合ラインがさらに形成され、各縫合ラインで形成される各領域の色や素材がそれぞれ異なるものであると、さらに多様性をもった外観美を形成することができる。
【０００９】
前記手袋において、当該手袋の各領域が、布、革、合成皮革、人工皮革、樹脂シートのうちから選択された少なくとも２つ以上の素材で構成されていると、多様性に富んだ外観美を有する手袋を実現できる。
【発明の効果】
【００１０】
本発明によれば、手袋の甲側部分から見た外観美に優れ、且つ、裁断に際し歩留りが良く、しかも縫製の簡単な、手袋を提供することができる。
【図面の簡単な説明】
【００１１】
【図１】本発明の実施例にかかる手袋を手の甲側から見た全体図である。
【図２】図１に示す手袋の、甲側部分の一部の部材（パーツ）の、裁断に際しての配置形態を表した図である。
【図３】図１に示す手袋の、図２に示す甲側部分の一部の部材（パーツ）と他の一部の部材（パーツ）との縫合前の形態を表した図で、（ａ）は前記甲側部分の一部の部材の平面形態をハッチングを施した実線で示し、それに縫合させる他の一部の部材の平面形態を二点鎖線で示した図、（ｂ）は前記他の一部の部材の平面形態を実線で示す図である。
【図４】図１に示す手袋の掌側から見た外観構成を示す全体図である。
【図５】図１〜図４に図示する手袋と別の構成を有する本発明にかかる手袋の手の甲側から見た外観構成を示す全体図である。
【発明を実施するための形態】
【００１２】
（実施例）
以下、本発明の実施例にかかる手袋を、図１〜図５の図面を参照しながら具体的に説明する。
【００１３】
図１において、Ａは本発明の実施例にかかる手袋で、この手袋Ａは、甲側部分Ａ１において、少なくとも１つのクロス状を形成するように、縫合ラインＬ１と別の縫合ラインＬ２とが交わる（この実施例の場合には直交する）ように形成され、当該クロス状の縫合ラインＬ１，Ｌ２で区画される各領域（この実施例では４つの領域）の、縦方向及び横方向に隣接する部分１０と１１，１１とは、色及び／又は素材（この実施例では色及び素材）が互いに異なるパーツで構成されている。そして、対角状に位置する部分１０と１０及び部分１１と１１とは、同じ素材で構成されている。この実施例にかかる手袋Ａの場合、甲側部分Ａ１は、その素材として布（この実施例では水色の編成布）と合成皮革（黒色の合皮）の二種類の素材が、縦方向及び横方向に隣接する部分１０と部分１１，１１とが異なる素材となるように、また、対角状に位置する部分１０と部分１０、および、部分１１と部分１１とは同じ素材となるように用いられている。
つまり、この実施例の場合には、二種類の素材のうちの一種として、水色の布（図１のハッチング部分参照）１２が対角状の部分１０と部分１０に用いられ、他の一種としては前記黒色の合成皮革（白抜きの部分参照）１３がもう一方の対角状の部分１１と部分１１とに用いられている。
しかし、前記素材としては、前述した素材や色に限定されるものでなく、他の異なる素材や色をもちろん用いてもよい。例えば、異なる素材として、赤色の織布や編成布や不織布等のうちの一種と、黒色の本革、合成皮革、人工皮革、樹脂シートのうちの一種とが、あるいはこれら全ての素材や色の中から適宜選択して、必要に応じて組み合わされて用いてもよい。また、この実施例では、素材として二種類のものを用いているが、一種類でもよく、この場合には、色が異なるものを用いることによって、外観美を生成することもできる。もちろん、素材と色の両方が異なるように用いることもできる。
【００１４】
前記実施例にかかる手袋Ａの場合、手袋をはいての作業に際し、力のはいる人指し指部分と中指部分の各部位に、素材して前述した合成皮革が用いられている。このため、外観美だけでなく、手の保護に優れた且つ耐久性に優れた手袋となっている。
【００１５】
また、前記実施例では、裁断と縫製が容易となるように、前記対角状の部分１０と部分１０（あるいは部分１１と部分１１）に同じ素材と色とが用いられているが、もちろん、それぞれの領域にそれぞれ異なる素材や色を用いることができる。つまり、前記４つの領域全てに異なる素材や色が配置されるように用いることができる。かかる場合には、より多様性のある外観美を得ることができる。
そして、前記対角状の部分１０と部分１０は、図２に図示するように、１枚の、所定幅（例えば、２ｍ幅）を有する長尺（例えば、１００ｍ）状のシートＳ１に対して、互いに形状的に補完するように配置して裁断をおこなうことができるため、裁断時の歩留りが良い。
また、前記部分１０と部分１０とが接続部分２０ａでつながった一つのものとして裁断するができる。このため、縫製に際し各部材の相対的な位置関係を間違うことなく縫製できる。また、図示しないが、前記対角状に隣接する部分１１と部分１１も、前記部分１０と部分１０と同様に、形状的に補完するように歩留り良く且つ効率的に接続部分でつながった一つのものとして裁断することができる。
【００１６】
そして、本手袋Ａは、図３（ａ），（ｂ）に図示するように、前記部分１０と部分１０とが一体のものとして接続部分２０aでつながったパーツ２０と、前記部分１１と部分１１とが一体のものとして接続部分２1aでつながったパーツ２１とが、それらの接続部分２０aと接続部分２１aとが重なった状態で、これらパーツ２０とパーツ２１を縫合するところの縫合ラインＬ１とＬ２が、クロス状になるように、縫合されることによって、手袋Ａの手の甲側部分Ａ１が縫製される。
【００１７】
本実施例にかかる手袋Ａのその他の構成は、例えば、手袋Ａの親指部分や掌側の部分は、通常の形態（構成）を有するように構成すればよい。例えば、この実施例にかかる手袋Ａでは、親指部分が別途縫着された前記甲側部分Ａ１と、所謂ガンカット型の中指４０ｃと薬指４０ｄが別途縫着された掌部分４０の、各外縁部分同士が、縫合されることによって、図１，図４に図示する形態の手の甲側部分と掌側部分を有する手袋Ａができあがる。
【００１８】
ところで、前記した実施例の変形実施例として、図５に図示するように、縫合ラインＬ３をさらに手袋の横方向に設けることによって、前記領域を増加させて、増加した領域に別の素材あるいは別の色の素材を配置してもよい。かかる場合には、加工工数等が若干増加するが、外観美のさらに異なる手袋を提供することができる。もちろん、前記縫合ラインＬ３に代えて、あるいは縫合ラインＬ３とともに、縦方向に別の縫合ライン（図示せず）を設けてもよい。この場合には、さらに多様性のある外観美を生成することができる。
【００１９】
なお、前記実施例は単なる実施例であって本発明の技術的思想を逸脱しない範囲で、種々の形態で実施できることは言うまでもない。
【産業上の利用可能性】
【００２０】
本発明にかかる手袋は、手袋の産業分野において利用することができる。
【符号の説明】
【００２１】
Ａ…手袋
Ａ１…手袋の甲側部分
Ｌ１…縫合ライン
Ｌ２…Ｌ１と交わる別の縫合ライン
１０，１１…縦方向及び横方向に隣接部分
【図１】
2014234580.tif 000003
【図２】
2014234580.tif 000004
【図３】
2014234580.tif 000005
【図４】
2014234580.tif 000006
【図５】
2014234580.tif 000007